(57)【要約】      （修正有）【課題】非粘着式の嵌入方式で被覆構造体と水槽の結合が形成され、内部の魚類の生態に影響せず、迅速に水槽の外観を変化させることができる、水槽の外観被覆構造体の提供。【解決手段】水槽の外観被覆構造体であって、その外観被覆構造体が外囲被覆層及び上被覆層から構成され、外囲被覆層は、上部を棟部、軒先部にかけて山形に形成し、少なくとも一枚は窓部を開設して成る左右側板と、縦辺を前記左右側板の軒部に達する高さとし、少なくとも一枚は開放部を開設した前後側板とを以て、四角形の枠組みとするとともに、該四角形の枠組みの各角部には、内側に向かって三角形に切り削いだ角形溝を形成した角柱を固定し、該角柱の角形溝間を四角形型の水槽の角部を合致させて嵌め込みができるガイドとする四角枠体として形成する。【選択図】図３
0003139812.tif 000002
【実用新案登録請求の範囲】
【請求項１】
水槽の外観被覆構造体であって、その被覆構造体が外囲被覆層及び上被覆層から構成され、そのうち、前記外囲被覆層に複数の滑入槽が設置され、且つ、前記滑入槽の形状が水槽の角部を緊密に嵌入させることができるよう形成され、また、前記外囲被覆層が遮蔽されていない開放空間を備え、観賞に供することができ、そのうち、前記外囲被覆層の複数の滑入槽の形状を異なる寸法の水槽に基づいて変えることができ、前記滑入槽は内側に凹陥しＬ字形を呈する設計であり、水槽に緊密に嵌合させることができ、前記外囲被覆層が緊密に水槽の角部に密着して水槽が滑落する危険性をなくし、且つ、前記Ｌ字形の滑入槽が被覆構造体と水槽の相互導入に便利であり、前記被覆構造体を迅速に水槽に被せたり、取り外したりすることができ、時間と手間が省けると共に、前記外囲被覆層が異なる外観構造に拡張・延伸することができ、水槽の観賞価値をより高めることができるよう構成したことを特徴とする、水槽の外観被覆構造体。       
【請求項２】
前記外囲被覆層内に設置された滑入槽の形状が、水槽に合わせて内側に向かって凹陥した円弧形、三角形等の形状とすることができることを特徴とする、請求項１に記載の水槽の外観被覆構造体。
【請求項３】
前記被覆構造体が、石材、木材、プラスチック、セメント、陶土、厚紙及び関連の外観の美感を向上でき、造形可能な性質を備えている材質である構成としたことを特徴とする請求項１に記載の水槽の外観被覆構造体。
【請求項４】
前記被覆構造体の後方の外囲被覆層に電線収容口を設置し、濾過装置、ライト及びヒーター管の電源線装置を内部に設置したとき、電源線を便利に整理できるよう構成したことを特徴とする、請求項１に記載の水槽の外観被覆構造体。
【請求項５】
前記被覆構造体にさらに外囲被覆層を拡張することで濾過装置を収容するための空間が設けられ、前記濾過装置を前記外囲被覆層の後方部に掛けて設置することができ、全体の美感を保ち、視覚的享受を向上したことを特徴とする、請求項１に記載の水槽の外観被覆構造体。
【請求項６】
前記被覆構造体に開口を開設し、餌やりに便利であると共に、空気の流動性を向上することを特徴とする、請求項１に記載の水槽の外観被覆構造体。
【考案の詳細な説明】
【技術分野】
【０００１】
本考案は水槽の外観被覆構造体に関し、特に、外囲被覆層であって、水槽の角部に結合させる滑入槽を内側に向かって凹陥したＬ字形に設計し、水槽の角部に緊密に密着させ、滑落の危険を防止し、且つ、前記外囲被覆層を異なる空間及び外観に延伸・拡張させて、さまざまなスタイルの工芸設計に変化させ、嵌入方式で水槽に結合させて、異なる視覚的美感を楽しむことができる、水槽の外観被覆構造体に関する。
【背景技術】
【０００２】
一般的な従来の水槽の被覆構造体Ａは、図１及び図２に示すように、前記被覆装置Ａが粘着式であり、外観を変えたいときは剥す必要があるため不便である。また、水槽Ｂ内の景観デザインに着手する場合、水槽Ｂ内の水中動物を再度アレンジする必要があり、且つ、水槽Ｂ内の設置物を増加すると、手入れに洗浄の時間がかかり、困難さが増すことになる。
【０００３】
このため、いかに上述の問題を排除するかが、本考案の考案者が解決を図る技術的問題点である。
【考案の開示】
【考案が解決しようとする課題】
【０００４】
本考案の目的は、非粘着式の嵌入方式で被覆構造体と水槽の結合が形成され、内部の魚類の生態に影響せず、素早く迅速に水槽の外観を変化させることができる、水槽の外観被覆構造体を提供することにある。
【課題を解決するための手段】
【０００５】
本考案の水槽の外観被覆構造体は、その被覆構造体が外囲被覆層及び上被覆層から構成され、そのうち、前記外囲被覆層に複数の滑入槽が設置され、且つ、前記滑入槽の形状が水槽の角部を緊密に嵌入させることができるよう形成され、また、前記外囲被覆層が遮蔽されていない開放空間を備え、観賞に供することができ、そのうち、前記外囲被覆層の複数の滑入槽の形状を異なる寸法の水槽に基づいて変えることができ、前記滑入槽は内側に凹陥しＬ字形を呈する設計であり、水槽に緊密に嵌合させることができ、前記外囲被覆層が緊密に水槽の角部に密着して水槽が滑落する危険性をなくし、且つ、前記Ｌ字形の滑入槽が被覆構造体と水槽の相互導入に便利であり、前記被覆構造体を迅速に水槽に被せたり、取り外したりすることができ、時間と手間が省けると共に、前記外囲被覆層が異なる外観構造に拡張・延伸することができ、水槽の観賞価値をより高めることができるよう構成したことを特徴とする。
【考案の効果】
【０００６】
本考案の進歩性と実用性をよりはっきりと示すため、以下、従来品と比較して分析する。
《従来品の欠点》
一、粘着式の被覆装置は外観の変更が不便である。
二、水槽内の景観デザインは水中生物の空間のアレンジが面倒である。  
三、第二点を受け、水の取り替えと洗浄の困難度が増す。
四、外層を被覆する装飾がしっかり固定されていない場合、水槽を運搬するときに滑落し、破損する危険が発生しやすい。
《本考案の利点》
一、着脱共に便利で、思いのままに異なる被覆外観に交換することができる。
二、水槽内の空間及び水中生物の設置を再アレンジする必要がない。
三、柱体の凹槽が水槽の角部に緊密に嵌合され、運搬時の安全性が確保される。
四、被覆構造体と水槽をそれぞれ独立した観賞のための個体とすることができ、水槽の中の生態に影響しない。
五、外囲被覆層により水中生物が飛び出すのが防止され、非観賞用の器具を遮蔽することができ、全体の美感が維持される。
六、外囲被覆層が水槽の後部で背景を引きたてる効果を添える。
七、進歩性と実用性を備えている。
八、産業的競争力が向上される。
【考案を実施するための最良の形態】
【０００７】
本考案について、以下図面と実施例に基づき、詳細に説明する。本考案の水槽の外観被覆構造体は、図３及び図４に示すように、その被覆構造体Ｃが外囲被服層Ｃ１及び上被覆層Ｃ２を含み、そのうち、外囲被服層Ｃ１内部に複数の滑入槽Ｃ３が設置され、前記滑入槽Ｃ３に水槽Ｇの角部が嵌入され、また、前記外囲被服層Ｃ１には複数の観賞窓Ｃ４が設置され、水槽Ｇ内の生態の観賞に用いられる。
【０００８】
本考案の実施方式により提供される水槽の外観の被覆構造体は、図４から図１１に示すように、前記被覆構造体Ｃが外囲被覆層Ｃ１内部に設置された複数の滑入槽Ｃ３によりまず水槽Ｇの角部に結合され、且つ、滑入槽Ｃ３を軌道として外囲被覆層のＬ字形に内陥した滑入槽Ｃ３に水槽の角部を嵌入させ、外囲被覆層Ｃ１で水槽Ｇの外囲を完全に被覆する。
【０００９】
前記被覆構造体Ｃはさらに組立式の被覆構造体Ｄとして設けてもよく、柱体Ｄ１、板片Ｄ２及びフレームＤ３から構成し、柱体Ｄ１と板片Ｄ２を相互に嵌合させて、水槽Ｇの外囲に柱体Ｄ１及び板片Ｄ２を組み込み完成させた後、フレームＤ３を組み立て後の被覆構造体Ｄの上方に設置し、且つ、前記フレームＤ３上にライトＥを置き、ライトＥ及びフレームＤ３の上方を覆うと、前記被覆構造体Ｄの組立てが完了する。また、柱体Ｄ１及び板片Ｄ２を接合させた後、フレームＤ３、ライトEを置き、上方を覆って先に組立てを完了させ、その後柱体Ｄ１内部に設けられた滑入槽C3を水槽Ｇの角部に合わせて被覆構造体Ｄ全体を上から下に水槽Ｇの外囲に被せることもでき、被覆構造体Ｄに設置された観賞窓C４から水中生物を観賞することができる。
【００１０】
前記ライトＥとフレームＤ３はさらに別途設置してもよく、前記水槽Ｇ内の水中生物に必要な光を提供することができる。且つ、前記被覆構造体Ｄはさらに柱体Ｄ１を延伸し、また水槽Ｇ周囲に濾過装置収容空間F1を延伸して設け、この濾過装置収容空間F1に水槽Ｇの周辺に掛けて設置された濾過装置Fを収納することができ、被覆構造体Ｄ全体の美感が維持される。
【００１１】
被覆構造体Ｄの板片Ｄ２はさらに電線収容口Ｄ４を設け、電源線Ｊの収容空間を形成し、且つ整理に便利なように構成することができる。また、前記被覆構造体Ｄの上方にはさらに開口Ｄ５を設置してもよく、空気の流動と餌やりに便利なように構成することができる。
【００１２】
また、前記被覆構造体Ｃはさらに丸太小屋風被覆構造体Ｈや石造り小屋風被覆構造体Ｉとして設けてもよく、建築物のような視覚的感受を形成することができる。
【００１３】
以上で述べた説明は本考案の最良の実施例に基づくものであり、本考案の特許範囲を制限するものではなく、本考案の明細書及び図面の内容を運用した同等効果を得る構造を直接的または間接的にその他関連技術領域に応用したものはすべて、本考案の要旨の範囲内に含まれるものとする。
【００１４】
上述をまとめると、本考案は先行技術を打破する構造の下、確実にその増進を図る効果を達成することができ、且つ、関連技術を熟知した者が容易に思い付くものではなく、さらに、本考案はその出願前に公開されたことがなく、その進歩性と実用性は実用新案登録出願の要件を満たしているため、法に基づきここに実用新案登録を出願するものである。
【図面の簡単な説明】
【００１５】
【図１】従来品の立体図１である。
【図２】従来品の立体図２である。
【図３】本考案の立体図である。
【図４】本考案の立体分解図である。
【図５】本考案を水槽に取り付けた状態を示す立体外観図である。
【図６】本考案の実施例図１である。
【図７】本考案の実施例図２である。
【図８】本考案の実施例図３である。
【図９】本考案の実施例図４である。
【図１０】本考案の実施例図５である。
【図１１】本考案の実施例図６である。
【符号の説明】
【００１６】
Ａ、Ｃ、Ｄ    被覆構造体
Ｂ、Ｇ        水槽
Ｃ１        外囲被覆層
Ｃ２        上被覆層
Ｃ３        滑入槽
Ｃ４        観賞窓
Ｄ１        柱体
Ｄ２        板片
Ｄ３        フレーム
Ｄ４        電線収容口
Ｄ５        開口
Ｅ          ライト
Ｆ          濾過装置
Ｆ１        濾過装置収容空間
Ｈ          丸太小屋風被覆構造体
Ｉ          石造り小屋風被覆構造体
Ｊ          電源線
【図１】
0003139812.tif 000003
【図２】
0003139812.tif 000004
【図３】
0003139812.tif 000005
【図４】
0003139812.tif 000006
【図５】
0003139812.tif 000007
【図６】
0003139812.tif 000008
【図７】
0003139812.tif 000009
【図８】
0003139812.tif 000010
【図９】
0003139812.tif 000011
【図１０】
0003139812.tif 000012
【図１１】
0003139812.tif 000013
【手続補正書】
【提出日】平成19年12月6日(2007.12.6)
【手続補正１】
【補正対象書類名】実用新案登録請求の範囲
【補正対象項目名】全文
【補正方法】変更
【補正の内容】
【実用新案登録請求の範囲】
【請求項１】
水槽の外観被覆構造体であって、その外観被覆構造体が外囲被覆層及び上被覆層から構成され、外囲被覆層は、上部を棟部、軒先部にかけて山形に形成し、少なくとも一枚は窓部を開設して成る左右側板と、縦辺を前記左右側板の軒部に達する高さとし、少なくとも一枚は開放部を開設した前後側板とを以て、四角形の枠組みとするとともに、該四角形の枠組みの各角部には、内側に向かって三角形に切り削いだ角形溝を形成した角柱を固定し、該角柱の角形溝間を四角形型の水槽の角部を合致させて嵌め込みができるガイドとする四角枠体として形成し、前記四角枠体としての外囲被膜層を形成する前記左右側板の山形部に、棟部から軒先部に達する幅板を山形状に組み合わせた上被覆層である屋根材を冠して形成する水槽の観賞価値を高めることができる構成とすることを特徴とする水槽の外観被覆構造体。
【請求項２】
前記外囲被覆層内に設置された角柱の形状が、水槽の角部に合わせて内側に向かって凹陥した三角形等の水槽の角部に合わせた形状とすることができることを特徴とする、請求項１に記載の水槽の外観被覆構造体。
【請求項３】
前記被覆構造体の材質が、石材、木材、プラスチック、セメント、陶土、厚紙等で造形可能な性質を備えている材質である構成としたことを特徴とする請求項１に記載の水槽の外観被覆構造体。
【請求項４】
前記被覆構造体の後方の外囲被覆層に電線収容口を設置し、前記被覆構造体の内側に濾過装置、ライト及びヒーター管の装置を内部に設置したとき、電源からのコードを引込できるよう構成したことを特徴とする、請求項１に記載の水槽の外観被覆構造体。
【請求項５】
前記被覆構造体の外囲被覆層を拡張することで前記被覆構造体内側に水槽の外濾過装置を収容するための空間が設けられ、該空間に前記濾過装置を設置することができる構成とした構成としたことを特徴とする、請求項１に記載の水槽の外観被覆構造体。
【請求項６】
前記被覆構造体の上被覆層に開口を開設し、前記被覆構造体に収容した水槽中に飼育する水生生物に餌やりに便利であると共に、前記水槽中に空気の流動性を向上することが出来る構成としたことを特徴とする、請求項１に記載の水槽の外観被覆構造体。
【手続補正２】
【補正対象書類名】明細書
【補正対象項目名】全文
【補正方法】変更
【補正の内容】
【考案の詳細な説明】
【技術分野】
【０００１】
本考案は水槽の外観被覆構造体に関し、特に、外囲被覆層の内側の角部に、水槽の角部に結合させる角柱を内側に向かって凹陥したＬ字形にした構成として配置し、外囲被覆層に嵌入された水槽の角部に角柱を緊密に密着させ、水槽が外囲被覆層から滑落する危険を防止し、且つ、前記外囲被覆層を異なる空間及び外観に延伸・拡張させて、さまざまなスタイルの工芸設計に変化させ、前記外囲被覆層に嵌入方式で嵌入された水槽に結合させて、水槽内に飼育する魚類等を異なる視覚的美感を楽しむことができる水槽の外観被覆構造体に関する。
【背景技術】
【０００２】
一般的な従来の水槽の被覆構造体は、図１及び図２に示すように、前記被覆装置Ａが粘着式であり、被覆構造体の外観を変えたいときは前記被覆装置Ａを剥す必要があるため不便である。また、水槽２０内の景観デザインの変更に着手する場合、水槽２０内の水中動物を再度アレンジする必要があり、且つ、水槽２０内の設置物を増加すると、手入れに洗浄の時間がかかり、困難さが増すことになる。
【０００３】
このため、如何に上述の問題を排除するかが、本考案の考案者が解決を図る技術的問題点である。
【考案の開示】
【考案が解決しようとする課題】
【０００４】
本考案の目的は、非粘着式の嵌入方式で被覆構造体と水槽の結合が形成され、内部の魚類の生態に影響せず、素早く迅速に水槽の外観を変化させることができる、水槽の外観被覆構造体を提供することにある。
【課題を解決するための手段】
【０００５】
本考案の水槽の外観被覆構造体は、その被覆構造体が外囲被覆層及び上被覆層から構成され、そのうち、前記外囲被覆層に複数の角柱が設置され、且つ、前記角柱の形状が水槽の角部を緊密に嵌入させることができるよう形成され、また、前記外囲被覆層が遮蔽されていない開放空間を備え、観賞に供することができ、そのうち、前記外囲被覆層の複数の角柱の形状を異なる寸法の水槽に基づいて変えることができ、前記角柱は内側に凹陥しＬ字形を呈する構成であり、水槽の角部に緊密に嵌合させることができ、前記外囲被覆層が緊密に水槽の角部に密着して水槽が外囲被覆層から滑落する危険性をなくし、且つ、前記Ｌ字形の角柱が被覆構造体と水槽の相互導入に便利であり、前記被覆構造体を迅速に水槽に被せたり、取り外したりすることができ、時間と手間が省けると共に、前記外囲被覆層が異なる外観構造に拡張・延伸することができ、水槽の観賞価値をより高めることができるよう構成したことを特徴とする。
【考案の効果】
【０００６】
本考案の進歩性と実用性をよりはっきりと示すため、以下、従来品と比較して分析する。
《従来品の欠点》
一、粘着式の被覆装置は外観の変更が不便である。
二、水槽内の景観デザインは水中生物の空間のアレンジが面倒である。  
三、第二点を受け、水の取り替えと洗浄の困難度が増す。
四、外層を被覆する装飾がしっかり固定されていない場合、水槽を運搬するときに滑落し、破損する危険が発生しやすい。
《本考案の利点》
一、着脱共に便利で、思いのままに異なる被覆外観に交換することができる。
二、水槽内の空間及び水中生物の設置を再アレンジする必要がない。
三、柱体の凹槽が水槽の角部に緊密に嵌合され、運搬時の安全性が確保される。
四、被覆構造体と水槽をそれぞれ独立した観賞のための個体とすることができ、水槽の中の生態に影響しない。
五、外囲被覆層により水中生物が飛び出すのが防止され、非観賞用の器具を遮蔽することができ、全体の美感が維持される。
六、外囲被覆層が水槽の後部で背景を引きたてる効果を添える。
七、進歩性と実用性を備えている。
八、産業的競争力が向上される。
【考案を実施するための最良の形態】
【０００７】
本考案について、以下図面と実施例に基づき、詳細に説明する。本考案の水槽の外観被覆構造体は、図３及び図４に示すように、外囲被服層１及び上被覆層１０を含み、そのうち、外囲被服層１内側角部に複数の角柱９が設置され、前記角柱９に水槽２０の角部が嵌入され、また、前記外囲被服層１には観賞窓４並に開放部６が開設され、水槽２０内に飼育する水生生物の生態の観賞に用いられる。
【０００８】
本考案は水槽の外観被覆構造体であって、その外観被覆構造体が図3、図5、図７に図解するように四角形枠体から成る外囲被覆層１及び屋根材から成る上被覆層１０から構成される。外観被覆構造体を構成する四角形枠体から成る外囲被覆層１の構成材は、上部を棟部２、軒先部３にかけて山形に形成して成り、少なくとも一枚は窓部４を開設して成る左右側板５と、縦辺を前記左右側板５の軒部３に達する高さとし、少なくとも一枚は開放部６を開設した前後側板７とを以て、四角形の枠組みとするとともに、該四角形としたの枠組みの各内側角部には、内側に向かって三角形に切り削いだ角形溝８を形成した角柱９を固定し、該角柱９の角形溝８間を四角形型の水槽２０の角部を合致させて嵌め込みができるガイドとする四角枠体から成る外囲被覆層１として形成し、前記四角枠体としての外囲被膜層１を形成した前記左右側板５の山形部に、棟部２から軒先部３に達し、且つ、少なくとも前後側板７の横幅より長めの四角形の幅板１１を山形状に組み合わせた屋根材から成る上被覆層１０を冠して成る構成としたことを特徴とする外観被覆構造体として形成する。
【０００９】
本考案は、前記した構成から成る水槽の外観被覆構造体を構成する四角形枠体としての外囲被覆体１の各内側角部に配した前記角柱９間の角形溝８を水槽嵌め込みガイドとして水槽２０を嵌め込み、図5、図7に図解したように水槽２０の中で飼育する淡水魚、海水魚の観賞価値を高めることができる構成とすることができる。
【００１０】
図７に図解する構成形式の外観被構造体は、前記した図３、４、５に図解した構成形式はさらに、図７に図解する構成形式の組立式の外観被構造体として組立てる構成としてもよい。
即ち、図５に図解する構成形式の外観被構造体は、前記した図４に図解した構成形式の四角形枠体として構成した外囲被覆構造体１に嵌め込んだ水槽２０に隣接して図8に図解するよう濾装置収容空間３０を形成し、該濾過装置収容空間３０に濾過装置（図示しない）を収容する構成形式の四角形枠体としての被覆構造体１として組立てる。
前記した図８に図解する構成形式の被構造体は、前記した図４に図解した構成形式の被構造体に嵌め込んだ水槽２０に隣接して、濾過装置収容空間３０を形成するため、該水槽３０の一方側に主体３１を配し、更に被覆構造体の上被覆層１０の屋根裏にフレーム３２を配設する構成とし、前記フレーム３２上にライト３３を置き、ライト３３及びフレーム３２の上方を屋根材である上被覆層１０で覆うと、前記図8に図解した被覆構造体の組立てが完了する。
被覆構造体に設置された観賞窓４並に開放部６から水中生物を観賞することができる。
【００１１】
被覆構造体１の後側板７はさらに電線導入口７Ａを設け、電源からのコード３４の導入空間を形成し、且つ導入に便利なように構成することができる。また、前記被覆構造体１の上方の屋根にはさらに開口３５を設置してもよく、この開口は空気の流動と餌やりに便利なように構成することができる。
【００１２】
また、前記被覆構造体１はさらに図１０に図解するとおり丸太小屋風被覆構造体や石造り小屋風被覆構造体Ｉとして設けてもよく、建築物のような視覚的感受を形成することができる。
【００１３】
以上で述べた説明は本考案の最良の実施例に基づくものであり、本考案の特許範囲を制限するものではなく、本考案の明細書及び図面の内容を運用した同等効果を得る構造を直接的または間接的にその他関連技術領域に応用したものはすべて、本考案の要旨の範囲内に含まれるものとする。
【００１４】
上述をまとめると、本考案は先行技術を打破する構造の下、確実にその増進を図る効果を達成することができ、且つ、関連技術を熟知した者が容易に思い付くものではなく、さらに、本考案はその出願前に公開されたことがなく、その進歩性と実用性は実用新案登録出願の要件を満たしているため、法に基づきここに実用新案登録を出願するものである。
【図面の簡単な説明】
【００１５】
【図１】従来品の立体図１である。
【図２】従来品の立体図２である。
【図３】本考案の立体図である。
【図４】本考案の立体分解図である。
【図５】本考案を水槽に取り付けた状態を示す立体外観図である。
【図６】本考案の実施例図１である。
【図７】本考案の実施例図２である。
【図８】本考案の実施例図３である。
【図９】本考案の実施例図４である。
【図１０】本考案の実施例図５である。
【符号の説明】
【００１６】
１        外囲被覆層
２        板片
３        フレーム
４        観賞窓
５        開口
７Ａ        電線引込口
９        角柱
１０        上被覆層
２０        水槽
【手続補正書】
【提出日】平成19年12月7日(2007.12.7)
【手続補正１】
【補正対象書類名】図面
【補正対象項目名】全図
【補正方法】変更
【補正の内容】
【図１】
0003139812.tif 000014
【図２】
0003139812.tif 000015
【図３】
0003139812.tif 000016
【図４】
0003139812.tif 000017
【図５】
0003139812.tif 000018
【図６】
0003139812.tif 000019
【図７】
0003139812.tif 000020
【図８】
0003139812.tif 000021
【図９】
0003139812.tif 000022
【図１０】
0003139812.tif 000023